(57)【要約】
　【課題】　　室内における設置位置、必要な装飾効果及び遮蔽効果に応じて、左右のスクリー
ン板の角度を自由に変化可能な軸回転式スクリーンの提供。
　【解決手段】　　格子状の格子板と、該格子板の外側端部に沿って設けられた左右の伸縮管を備えたスクリーン片を上下左右に配置して成り、上下各１枚の該スクリーン片の該伸縮管を相互に嵌合し、左右各１枚のスクリーン板を形成し、該左右のスクリーン板を、前記格子板の内側端部に設置された軸接部により回動可能に連結する。
　【選択図】　　図７
0003100155.tif 000002
【実用新案登録請求の範囲】
【請求項１】
　格子状の格子板と、該格子板の外側端部に沿って設置された左右の伸縮管を備えた上下左右に配置されたスクリーン片から成り、上下各１枚の該スクリーン片の該伸縮管を相互に嵌合し、左スクリーン板と右スクリーン板を形成し、該左右のスクリーン板を、前記格子板の内側端部に設置された軸接部により回動可能に連結し、該左右のスクリーン板の上下各伸縮管により、天井と床板に固定され、さらに、前記軸接部が、一方のスクリーン板の内側端部に設けた軸管に、別の一方のスクリーン板の内側端部の該軸管に相対する位置に下方向に屈曲して形成された軸棒を穿通し、左スクリーン板と右スクリーン板を回動可能に軸接したことを特徴とする、軸回
転式スクリーン。
【請求項２】
　前記軸接部が、交互に上下に重畳された軸管に、ネジ棒を穿通し、左スクリーン板と右スクリーン板を軸接した、請求項１に記載の軸回転式スクリーン。
【請求項３】
　前記左スクリーン板と右スクリーン板の間に、前記軸接部を利用し、さらに２枚以上の格子板を連結した、請求項１に記載の軸回転式スクリーン。
【考案の詳細な説明】
【技術分野】
【０００１】
　本考案は、室内を区画するのに好適な軸回転式スクリーンに関し、特に、２枚のスクリーン板を枢接し、設置場所に応じ、該スクリーン板のなす角度を任意に変化させて固定し、区画や装飾の目的に使用することのできる、軸回転式スクリーンに関する。
【背景技術】
【０００２】
　現在、オフィス内を区画したり、玄関とその奥の空間とを区画したりする組立式金属製スクリーンとして、図１に示すように、単片の組立式スクリーンが知られている。用途としては、主に室内を任意に区画したり、物品を吊り下げて整理したり、装飾に用いることができる。さらに、実用性を向上し、2方向から遮蔽したい場合に便利なように、図２に示すような９０度に屈曲した形状の組立式スクリーン６０が提案されている。
【考案の開示】
【考案が解決しようとする課題】
【０００３】
　図２に示すように、前述の９０度の角度で屈曲したスクリーン６０は、上下格子板を組立ててなる左右2枚のスクリーン板６１から成り、該スクリーン板６１は、その外側端部に沿って配置された左右の外軸管６１１と、該左右のスクリーン板６１の接続部に配置された中央軸管６１２を備え、該外軸管６１１と中央軸管６１２の上下部に、それぞれ位置決め機能を備えた上伸縮棒６２と、下伸縮棒６３を設置し、該上下伸縮棒６２、６３を天井高に応じて突出長さを調節し、上部の該上伸縮棒６２を天井に固定し、下部の下伸縮棒６３を床板に固定して、９０度の屈曲角度をなすスクリーン６０が設置される。然しながら、この屈曲角度９０度のスクリーン６０は、その屈曲角度が調整不能に固定されており、その設置位置、区画、遮蔽または装飾上の必要に応じ、スクリーン板６１を回動させて調整することができないため、使用上の自由度に欠ける。
【０００４】
　本考案の目的は、室内における設置位置、必要な装飾効果及び遮蔽効果に応じて、左右のスクリーン板の角度を自由に変化可能な軸回転式スクリーンを提供することにある。
【課題を解決するための手段】
【０００５】
　本考案の軸回転式スクリーンは、格子状の格子板と、該格子板の外側端部に沿って設けられた左右の伸縮管を備えたスクリーン片を上下左右に配置して成り、上下各１枚の該スクリーン片の該伸縮管を相互に嵌合し、左右各１枚のスクリーン板を形成し、該左右のスクリーン板を、前記格子板の内側端部に設置された軸接部により回動可能に連結する。　　　
【考案の効果】
【０００６】
　本考案によれば、設置位置等に応じて、中央で軸接された左右のスクリーン板の角度を任意に変更できるので、必要な遮蔽効果と装飾効果が得られる。また、本考案の２枚のスクリーン板間の軸接部は、軸管に軸棒を挿入して枢接されるため、組立てが簡単であり、全体構造も単純であるため、製造が容易で、製造コストを低く抑えることができる。　　　　
【実施例１】
【０００７】
　図３及び図４に示すように、本考案の軸回転式スクリーンは、主に、格子状の格子板１０と、該格子板１０の外側端部に沿って設置された左右の伸縮管１１を備えた、上下左右に配置されたスクリーン片１から成り、上下各１枚の該スクリーン片１の該伸縮管１１を相互に嵌合し、左スクリーン板Aと右スクリーン板Bを形成し、該左右のスクリーン板AとBを、前記格子板１０の内側端部に設置された軸接部１２により回動可能に連結し、該スクリーン板AとＢの上下各伸縮管１１により、天井と床板に固定する。
【０００８】
　図５及び図６に示すように、前記軸接部１２は、前記スクリーン板Aの格子板１０の内側端部に、一つ以上の軸管１２０を設け、さらに、スクリーン板Bの格子板１０の内側端部の相対する位置に、下方向に屈曲した軸棒１２１を設け、前記軸管１２０に該軸棒１２１を嵌入し、該軸棒１２１の下端部は、雄ネジ１２１０を備え、該軸棒１２１を前記軸管１２０に挿入した後、該雄ネジ１２１０の先端部を該軸管１２０から突出させ、ナット１２２を螺合して固定し、これにより、左右スクリーン板A及びBを回動可能に軸接する。
【実施例２】
【０００９】
　さらに、図８に示すように、本考案の軸回転式スクリーンの左右スクリーン板A及びBの軸接部１２は、前記軸棒１２１に代わり、交互に上下に重畳された２つの軸管１２０と１２０’に、ネジ棒１２３を穿通させ、ナット１２２を該ネジ棒１２３の突出した先端部に螺合して固定し、前述同様に左右のスクリーン板A及びBを回動可能に軸接してもよい。
【実施例３】
【００１０】
　また、図９に示すように、本考案の軸接部１２は、前記左右のスクリーン板A、B間に、より多くの格子板１０を連結するように設けてもよく、スクリーンの実用性をより向上することができる。
【図面の簡単な説明】
【００１１】
【図１】従来のスクリーンを示す立体斜視図である。
【図２】図１とは別の従来のスクリーンを示す立体斜視図である。
【図３】本考案の軸回転式スクリーンの実施例一の立体斜視図である。
【図４】本考案の軸回転式スクリーンの実施例一の立体分解図である。
【図５】本考案の軸回転式スクリーンの実施例一の軸接部の拡大立体分解図である。
【図６】本考案の軸回転式スクリーンの実施例一の軸接部の組立て後の状態を示す拡大立体斜視図である。
【図７】本考案の軸回転式スクリーンの回動方向を示す立体分解図である。
【図８】本考案の軸回転式スクリーンの実施例二の軸接部の拡大立体分解図である。
【図９】本考案の軸回転式スクリーンの実施例三の立体斜視図である。
【図１０】本考案の軸回転式スクリーンの使用状態を示す立体分解図である。
【符号の説明】
【００１２】
　A　　　　左スクリーン板
　B　　　　右スクリーン板
　１　　　　スクリーン片
　１０　　　格子板
　１１　　　伸縮管
　１２　　　軸接部
　１２０、１２０’　　軸管
　１２１　　　軸棒
　１２１０　　雄ネジ
　１２２　　　ナット
　１２３　　　ネジ棒
　６０　　　　スクリーン
　６１　　　　スクリーン板
　６１１　　　外軸管
　６１２　　　中央軸管
　６２　　　　上伸縮棒
　６３　　　　下伸縮棒
【図１】
0003100155.tif 000003
【図２】
0003100155.tif 000004
【図３】
0003100155.tif 000005
【図４】
0003100155.tif 000006
【図５】
0003100155.tif 000007
【図６】
0003100155.tif 000008
【図７】
0003100155.tif 000009
【図８】
0003100155.tif 000010
【図９】
0003100155.tif 000011
【図１０】
0003100155.tif 000012